(57)【要約】【課題】  筐体外部からの衝撃や曲げ等に対して、中に取り付けられている制御基板への影響を軽減した注文入力装置を提供する。【解決手段】  制御基板２２を受けるフレーム２１の箇所をネジで完全に固定するボス２３を四角の制御基板の1辺の中央に１箇所、その対辺の各コーナー２箇所は、クッション性のある緩衝材２５をコーナーパットのような形で制御基板２２のコーナーにあて、フレームに造形した半箱型の凹部にはめ込む構造とした。【選択図】  図２
2005309694.tif 000002
【特許請求の範囲】
【請求項１】
導電体からなる配線パターンが印刷された基板に実装部品が実装された基板と、樹脂製の筐体を有する注文入力装置であって、
前記筐体は前記基板を取り付ける基板保持機構として、前記基板の３箇所を固定する固定部を有する注文入力装置。
【請求項２】
前記３箇所の固定部は、１箇所のネジ固定部と、２箇所の基板コーナーを包み込む形状のクッション性の緩衝材を介した固定部であり、その相手側の前記筐体は更に、前記のクッション性の緩衝材を包み込む形状を有していることを特徴とする請求項１に記載の注文入力装置。
【請求項３】
前記２箇所の基板のコーナー部を保持するクッション性の緩衝材を一体成形することを特徴とする請求項１に記載の注文入力装置。
【請求項４】
前記注文装置は、内部に、筐体とは別に樹脂で形成され、前記基板保持機構を有するフレームを有し、
前記フレームは前記基板を、前記３箇所の固定部によって固定する、請求項１から３のいずれかに記載の注文入力装置。
【請求項５】
導電体からなる配線パターンが印刷された基板に実装部品が実装された基板を、樹脂製の筐体に、３箇所の固定部で固定する基板保持構造であって、
前記３箇所の固定部は、１箇所のネジ固定部と、２箇所の基板コーナーを包み込む形状のクッション性の緩衝材を介した固定部であり、
前記筐体は、２箇所ある前記クッション性の緩衝材を包み込む形状を有していることを特徴とする、基板保持構造。
【請求項６】
前記筐体は、更に、樹脂で形成されたフレームを有し、
前記フレームが、前記２箇所あるクッション性の緩衝材を包み込む形状を有し、
前記フレームは前記基板を、前記３箇所の固定部で固定することを特徴する、請求項５に記載の基板保持構造。
【発明の詳細な説明】
【技術分野】
【０００１】
本発明は、電子部品を実装した基板、及びそれを保持し固定するフレーム及び外装部品によって構成され、外食店舗（レストラン、居酒屋、ファーストフード等）内において客からの注文内容を入力し転送する注文入力装置、及び注文入力装置で使用する、電子部品を実装した基板をフレーム及び外装部品に保持する基板保持構造に関する。
【背景技術】
【０００２】
従来から、レストラン、居酒屋、ホテルあるいはファーストフード等では注文データ管理装置が使用されており、その注文データ管理装置を構成する装置として、接客担当者が客からの注文内容を入力し、注文内容を一括管理するデータ管理装置に対してデータ転送する注文入力装置がある。
【０００３】
この注文入力装置は、ヒンジ部を介して本体部と蓋部とが開閉可能に連結された見開きタイプの構造となっており、蓋部に客からの注文内容を入力するキー入力部が設けられているものもある。蓋部にキー入力部が設けられている上記のようなタイプの注文入力装置においては、入力した注文データを処理して前記データ管理装置に対してデータ転送する制御基板が本体部に収納されている。一方、キー入力部は蓋部に設けられているもの、本体部に設けられているものの両方がある。（例えば非特許文献１参照）
このような構造の注文入力装置は、設置して使用するものではなく、前記レストラン、居酒屋、ホテルあるいはファーストフード等の店内で、それぞれの店のユニフォームやエプロンのポケット等に携帯され、使用時には取り出し、キー入力という操作をされる。その入力信号を処理し、前記注文内容を一括管理するデータ管理装置へデータ転送する処理を行う制御基板は、樹脂製の筐体の中に固定されている。これらの固定は、ねじによる固定で、その固定箇所はコーナー４箇所と中央２箇所で固定されている。
【非特許文献１】会田邦弘・浅川明著「オーダーシステムが外食産業を変える」泉文堂、１９９９年２月２０日、Ｐ１７
【発明の開示】
【発明が解決しようとする課題】
【０００４】
従来のような制御基板の取り付け構造をした注文入力装置は、ウェイトレス・ウェイターといった接客担当者が、常時携帯して使用するものであり、携帯途中にポケットの中に入れたまま、テーブルにぶつかったり、ウェイターでズボンの後ろポケットに入れたまましゃがんだり、座ったり、また接客担当者の使用中の不注意などで床へ落下するなど、注文入力装置は比較的劣悪な環境で使用されることが多い。以上のような劣悪な環境下での使用にともなって、筐体外部からの曲げ、外部圧力により筐体そのものが変形し、それが中に固定されている制御基板に伝わる。つまり、制御基板を取り付けているフレーム自体が曲げなどにより変形するとその方向で制御基板も曲げを受ける。制御基板が曲げを受けるということはその制御基板に実装されている部品との間にはんだのクラックなどが発生し、注文入力装置として、正常に機能できなくなる。
【０００５】
そこで本発明は、筐体内部に別部品の樹脂製のフレームを設け、制御基板を３点で支持し、フレームと制御基板は常に安定した状態を保てるよう固定する。３点のうち２点は、クッション性のある緩衝材で固定するため、注文入力装置を床へ落下させてしまったときの筐体自体の衝撃力やテーブルやいすの間に挟まり、筐体自体の曲げによる変形が直接制御基板に伝わらない構造にすることにより、電気的、機械的に筐体変形による耐久性が向上する注文入力装置を提供することを目的とするものである。
【課題を解決するための手段】
【０００６】
上記目的を達成するために、本発明の筐体構成として、制御基板を受けるフレームの箇所をネジで完全に固定するボスを四角の制御基板の1辺の中央に１箇所、その対辺の各コーナー２箇所は、クッション性のある緩衝材をコーナーパットのような形で制御基板のコーナーにあて、フレームに造形した半箱型の凹部にはめ込む構造とした。これにより、筐体外部からの圧力による変形が制御基板を取り付けているフレームに伝わったとしても、直接制御基板を変形させるには、制御基板のコーナー２箇所を受けているクッション性の緩衝材が変形し、制御基板への変形応力を減少させる構造とした。
【発明の効果】
【０００７】
本発明により、注文入力装置の筐体の落下による衝撃変形やポケット等に入れたまま人とテーブルやいすの間に挟まれ曲げによる変形に於いて引き起こす、制御基板の変形を減少させることができる。つまり前記制御基板に実装されている実装部品の半田部のクラック、完全剥離などの発生を無くすことができるため、注文入力装置として、故障の項目としての制御不能・誤動作などが落下衝撃や曲げ応力に対し、格段に向上する。
【発明を実施するための最良の形態】
【０００８】
【実施例１】
【０００９】
本発明の実施の形態について、図面に基づいて以下に説明する。
【００１０】
図１は、本発明に係る注文入力装置の外観斜視図である。本注文入力装置は、レストラン、居酒屋、ホテルあるいはファーストフード等で用いられ、注文データ管理装置の一部を構成する装置である。まず、この注文データ管理装置の全体構成、及びその使用例について概略説明する。
【００１１】
無線方式の注文データ管理装置を一例として取り上げ、その使用例を説明する。接客担当者が客から料理の注文を受けた場合、携帯している注文入力装置に、テーブル番号等とともに注文を受けた各メニューを入力する。この入力された注文データは、前記注文入力装置から無線送信される。前記無線送信された注文データは、店舗内の各コーナー等に設置された制御装置によって受信され、各種データの処理や一元管理等を行うデータ管理装置に出力される。前記データ管理装置では、前記注文データ及び該注文データを受信した時刻、接客担当者を識別する番号等の情報を記憶装置に記憶する。
【００１２】
そして、厨房に設置されたレストランプリンタから調理指示用の伝票を印刷出力して、調理担当者に調理の指示を送る。また、会計用伝票がレストランプリンタから印刷出力され、これは接客担当者により客に手渡される。調理担当者は調理指示伝票に従って調理を開始し、調理完了するとその旨を接客担当者に通知する。これにより、接客担当者は注文を受けた客に調理を運んで配膳することになる。なお、説明した無線方式の他に、電磁誘導コイルを用いて注文データの送受信を行う電磁誘導方式の注文入力装置もある。
【００１３】
以上のようにして用いられる本注文入力装置１０は、図１に示すように、入力した注文内容を表示し視認可能な表示部１１と入力した注文データを記憶、処理して前記制御装置と注文に係るデータの送受信を行う制御基板（図示せず）とを備える本体部１２と、蓋部１３とから構成され、蓋部１３は２つのヒンジ１６ａ、１６ｂを中心に見開き回転して、開閉可能なように構成されている。
【００１４】
本体部１２の表示部１１の上には客からの注文内容を入力するためのタッチパネル１５を設け、蓋部１３には客からの注文内容を入力するためのキー入力部を構成するメンブレンスイッチ１４が所定位置に貼り付け可能なように設けられている。このメンブレンスイッチ１４は、薄板状（シート状）のものであり、表面部を押圧することにより内装されている接点部が接触して導通しスイッチが入る構造のものである。
【００１５】
次に、図２により本体部１２の中にあるフレーム２１とそれに固定する制御基板２２をより詳細に説明する。本体部１２は、上ケースと下ケース（図示せず）の抱き合わせで構成されている。その中にフレーム２１が入っていて、上下ケースにそれぞれ取り付いている。このフレーム２１は、樹脂製で、ある程度の柔軟性がある。また、フレーム２１そのものは、ねじなどでケースに固定はしているものの外装部品とは別部品になっている。従って、落下によって筐体の一部が瞬間的に変形しても、そのままの変形の応力がフレーム２１に伝わるのではなく、１クッションあって伝わることになる。また、前記のようにフレーム２１は、樹脂製のため、そのものも多少の柔軟性をもって変形に耐え得る。
【００１６】
このフレーム２１に制御基板２２を取り付ける構造であるが、ボス２３に制御基板２２をねじ２４で固定する。制御基板２２のその他の固定は、ねじ固定する対辺の両コーナー２箇所をフレーム２１で支持する。その支持する方法は、固定される制御基板の２コーナーにそれぞれクッション性のある緩衝材２５をはめ込む。その緩衝材２５は、落下による衝撃を吸収し制御基板２２への衝撃を緩和する働きのもの、また、静荷重としてのねじりや曲げの変形応力をも緩和するものである。
【００１７】
このようにクッション性のある緩衝材２５を包み込む形で、その支持部分は樹脂製フレーム２１により造形されている。ねじ固定が１箇所だけなのでねじを中心とした回転方向の動きを止める必要がある。これは、造形部分の壁２６により止められる。また、逆回転の場合は造形部分の壁２７により止められる。また、上下方向の動きの規制は、まず、下方向は、造形部分の２８で受け、上方向は、造形部分の壁２９で規制する。このように造形部分の壁により各方向の規制をする。また、直接樹脂の部分で固定していないので、筐体の外装部品が変形しそれが内部のフレーム２１に伝わり、それが、クッション性の緩衝材２５に伝わり、それから制御基板２２に伝わるため、かなり衝撃応力や変形応力は減衰されてからの伝達になる構造になっている。
このようなことから本発明では、緩衝材２５の材質として、主にゴム系の材質を用いるが、クッション性の材質であれば、塑性変形しない材質のものであれば、使用可能である。
【図面の簡単な説明】
【００１８】
【図１】本発明に係る注文入力装置の外観を示す斜視図である。
【図２】本発明の制御基板取り付け構造を示す斜視図である。
【符号の説明】
【００１９】
１０  注文入力装置
１１  表示部
１２  本体部
１３  蓋部
１４  メンブレンスイッチ
１５  タッチパネル
１６ａ  ヒンジ
１６ｂ  ヒンジ
２１  フレーム
２２  制御基板
２３  ボス
２４  ねじ
２５  緩衝材
２６  フレーム造形部分の壁（回転止め用）
２７  フレーム造形部分の壁（回転止め用）
２８  フレーム造形部分の壁（下方向止め用）
２９  フレーム造形部分の壁（上方向止め用）
【図１】
2005309694.tif 000003
【図２】
2005309694.tif 000004